(57)【要約】【課題】デザイン上の制限を受けることなくワイヤー部材による肌当たりを緩和できるカップ部付き衣類を提供する。【解決手段】カップ部付き衣類１では、ワイヤー部材１７が封入されたワイヤーループ１４が表側布１３と肌側布１５との間に配置されている。したがって、縫着部Ａによってワイヤーループ１４が表側布１３、肌側布１５、及び土台布１２に縫着された状態では、ワイヤーループ１４が表側布１３及び土台布１２で覆われ、カップ部２の表側には露出しないため、デザイン上の制限を受けることを回避できる。また、カップ部付き衣類１では、ワイヤー部材１７がワイヤーループ１４内で上縁部１４ｂ側に偏在している。これにより、着用状態においてワイヤー部材１７が着用者のバストのバージスラインに沿い易くなり、ワイヤー部材１７の肌当たりを好適に緩和できる。【選択図】図２
2015190064.tif 000002
【特許請求の範囲】
【請求項１】
表側布及び肌側布によって構成される左右一対のカップ部と、
前記カップ部の下縁部の表側に連結された土台布と、
ワイヤー部材がワイヤーループ内に封入されて構成され、前記カップ部の下縁部に沿って前記表側布と前記肌側布との間に延在するワイヤー部と、
前記ワイヤー部材が前記ワイヤーループ内で上縁部側に偏在するように、前記ワイヤーループを前記表側布、前記肌側布、及び前記土台布に縫着する縫着部と、を備えたカップ部付き衣類。
【請求項２】
前記ワイヤーループの下端位置及び前記肌側布の下端位置は、前記表側布の下端位置よりも下方に位置している請求項１記載のカップ部付き衣類。
【請求項３】
前記肌側布を挟んで前記ワイヤーループの反対側に肌側バイアステープを更に備え、
前記土台布の上縁部は、前記カップ部側に折り返された状態で前記表側布に重ね合され、
前記縫着部は、
前記表側布と前記土台布の折返部分とを縫着する第１の縫着部と、
前記表側布を挟んで前記土台布の折返部分と前記ワイヤーループの上縁部とを縫着する縫着部分、及び前記土台布と前記ワイヤーループの中央部とを縫着する縫着部分からなる第２の縫着部と、
前記ワイヤーループの下縁部を挟んで前記土台布と前記肌側布の下縁部とを縫着する第３の縫着部と、
前記土台布の折返部分と前記表側布と前記ワイヤーループの上縁部と前記肌側布とを挟んで前記土台布と前記肌側バイアステープの上縁部とを縫着する縫着部分、及び前記ワイヤーループの下縁部と前記肌側布とを挟んで前記土台布と前記肌側バイアステープの下縁部とを縫着する縫着部分からなる第４の縫着部と、を備えた請求項２記載のカップ部付き衣類。
【請求項４】
前記肌側布を挟んで前記ワイヤーループの反対側に肌側バイアステープを更に備え、
前記土台布の上縁部は、前記カップ部側に折り返された状態で前記表側布に重ね合され、
前記縫着部は、
前記ワイヤーループの中央部と前記肌側布とを縫着する第１の縫着部と、
前記表側布と前記土台布の折返部分とを縫着する第２の縫着部と、
前記土台布の折返部分と前記表側布と前記ワイヤーループの上縁部と挟んで前記土台布と前記肌側布とを縫着する第３の縫着部と、
前記土台布の折返部分と前記表側布と前記ワイヤーループの上縁部と前記肌側布とを挟んで前記土台布と前記肌側バイアステープの上縁部とを縫着する縫着部分、及び前記ワイヤーループの下縁部と前記肌側布とを挟んで前記土台布と前記肌側バイアステープの下縁部とを縫着する縫着部分からなる第４の縫着部と、を備えた請求項２記載のカップ部付き衣類。
【請求項５】
前記ワイヤーループの下縁位置及び前記肌側布の下縁位置は、前記表側布の下縁位置と略同一位置となっている請求項１記載のカップ部付き衣類。
【請求項６】
前記肌側布を挟んで前記ワイヤーループの反対側に肌側バイアステープを更に備え、
前記土台布の上縁部は、前記カップ部側に折り返された状態で前記表側布に重ね合され、
前記縫着部は、
前記ワイヤーループの中央部と前記肌側布とを縫着する第１の縫着部と、
前記表側布と前記土台布の折返部分とを縫着する第２の縫着部と、
前記表側布と前記ワイヤーループの中央部とを挟んで前記土台布の折返部分と前記肌側布とを縫着する第３の縫着部と、
前記ワイヤーループの上縁部と前記肌側布とを挟んで前記表側布と前記肌側バイアステープの上縁部とを縫着する縫着部分、及び前記土台布の折返部分と前記表側布と前記ワイヤーループの下縁部と前記肌側布とを挟んで前記土台布と前記肌側バイアステープの下縁部とを縫着する縫着部分からなる第４の縫着部と、を備えた請求項５記載のカップ部付き衣類。
【発明の詳細な説明】
【技術分野】
【０００１】
本発明は、カップ部付き衣類に関する。
【背景技術】
【０００２】
ブラジャーに代表されるカップ部付き衣類は、例えばバストを覆うためのカップ部、カップ部の下縁部を支持する土台部、土台部から背面側に延びるバック部、及びカップ部に連結されるストラップ部などを備えて構成されている。このようなカップ部付き衣類では、バストアップ等の造形効果を高める観点から、カップ部の下縁に沿ってワイヤー部材を配置したものがある。一方、ワイヤー部材は、着用者への肌当たりが課題となっており、着用時の締付感や違和感を緩和する必要があった。
【０００３】
このような課題に対し、例えば特許文献１に記載のカップ部を有する衣類では、ワイヤー部材を封入したワイヤーループをカップ部の下縁において表側布と肌側布との間に配置し、ワイヤーループの上縁を表側布のみに縫着し、ワイヤーループの下縁を表側布及び肌側布の双方に縫着している。
【先行技術文献】
【特許文献】
【０００４】
【特許文献１】特許第４５５０９６８号明細書
【発明の概要】
【発明が解決しようとする課題】
【０００５】
ワイヤーループの配置構成としては、表側布よりも外側（カップ部と土台部との間）に当該テープを配置することも考えられる。しかしながら、ワイヤーループを表側布よりも外側に配置する場合、カップ部付き衣類の表側にワイヤーループの少なくとも一部が露出するため、デザイン上の制限を受けてしまうという問題があった。また、上述した特許文献１に記載のカップ部を有する衣類のように、ワイヤーループを表側布と肌側布との間に配置する場合でも、着用者へのワイヤー部材の肌当たりを更に緩和できる構成が望まれる。
【０００６】
本発明は、上記課題の解決のためになされたものであり、デザイン上の制限を受けることなくワイヤー部材による肌当たりを緩和できるカップ部付き衣類を提供することを目的とする。
【課題を解決するための手段】
【０００７】
上記課題の解決のため、本発明に係るカップ部付き衣類は、表側布及び肌側布によって構成される左右一対のカップ部と、カップ部の下縁部の表側に連結された土台布と、ワイヤー部材がワイヤーループ内に封入されて構成され、カップ部の下縁部に沿って表側布と肌側布との間に延在するワイヤー部と、ワイヤー部材がワイヤーループ内で上縁部側に偏在するように、ワイヤーループを表側布、肌側布、及び土台布に縫着する縫着部と、を備えたことを特徴としている。
【０００８】
このカップ部付き衣類では、ワイヤー部材が封入されたワイヤーループが表側布と肌側布との間に配置されている。したがって、縫着部によってワイヤーループが表側布、肌側布、及び土台布に縫着された状態では、ワイヤーループが表側布及び土台布で覆われ、カップ部の表側には露出しないため、ワイヤーループが露出することによるデザインの制限上を受けることを回避できる。また、このカップ部付き衣類では、ワイヤー部材がワイヤーループ内で上縁部側に偏在している。これにより、着用状態においてワイヤー部材が着用者のバストのバージスラインに沿い易くなり、ワイヤー部材の肌当たりを好適に緩和できる。
【０００９】
また、ワイヤーループの下端位置及び肌側布の下端位置は、表側布の下端位置よりも下方に張り出していることが好ましい。この場合、ワイヤーループの縫着に要する時間を短縮することが可能となる。
【００１０】
また、肌側布を挟んでワイヤーループの反対側に肌側バイアステープを更に備え、土台布の上縁部は、カップ部側に折り返された状態で表側布に重ね合され、縫着部は、表側布と土台布の折返部分とを縫着する第１の縫着部と、表側布を挟んで土台布の折返部分とワイヤーループの上縁部とを縫着する縫着部分、及び土台布とワイヤーループの中央部とを縫着する縫着部分からなる第２の縫着部と、ワイヤーループの下縁部を挟んで土台布と肌側布の下縁部とを縫着する第３の縫着部と、土台布の折返部分と表側布とワイヤーループの上縁部と肌側布とを挟んで土台布と肌側バイアステープの上縁部とを縫着する縫着部分、及びワイヤーループの下縁部と肌側布とを挟んで土台布と肌側バイアステープの下縁部とを縫着する縫着部分からなる第４の縫着部と、を備えたことが好ましい。この場合、第１の縫着部〜第４の縫着部の順で縫着を行うことにより、ワイヤーループの縫着に要する時間をより確実に短縮できる。
【００１１】
また、肌側布を挟んでワイヤーループの反対側に肌側バイアステープを更に備え、土台布の上縁部は、カップ部側に折り返された状態で表側布に重ね合され、縫着部は、ワイヤーループの中央部と肌側布とを縫着する第１の縫着部と、表側布と土台布の折返部分とを縫着する第２の縫着部と、土台布の折返部分と表側布とワイヤーループの上縁部と挟んで土台布と肌側布とを縫着する第３の縫着部と、土台布の折返部分と表側布とワイヤーループの上縁部と肌側布とを挟んで土台布と肌側バイアステープの上縁部とを縫着する縫着部分、及びワイヤーループの下縁部と肌側布とを挟んで土台布と肌側バイアステープの下縁部とを縫着する縫着部分からなる第４の縫着部と、を備えたことが好ましい。この場合、第１の縫着部〜第４の縫着部の順で縫着を行うことにより、各構成要素同士をしっかりと縫着できる。
【００１２】
また、ワイヤーループ下端位置及び肌側布の下端位置は、表側布の下端位置と略同位置となっていることが好ましい。この場合、表側布の上下寸法を長くできるので、着用状態において着用者のバストトップの位置を高く見せることができる。
【００１３】
肌側布を挟んでワイヤーループの反対側に肌側バイアステープを更に備え、土台布の上縁部は、カップ部側に折り返された状態で表側布に重ね合され、縫着部は、ワイヤーループの中央部と肌側布とを縫着する第１の縫着部と、表側布と土台布の折返部分とを縫着する第２の縫着部と、表側布とワイヤーループの中央部とを挟んで土台布の折返部分と肌側布とを縫着する第３の縫着部と、ワイヤーループの上縁部と肌側布とを挟んで表側布と肌側バイアステープの上縁部とを縫着する縫着部分、及び土台布の折返部分と表側布とワイヤーループの下縁部と肌側布とを挟んで土台布と肌側バイアステープの下縁部とを縫着する縫着部分からなる第４の縫着部と、を備えたことが好ましい。ここの場合、第１の縫着部〜第４の縫着部の順で縫着を行うことにより、各構成要素同士をしっかりと縫着できる。
【発明の効果】
【００１４】
本発明に係るカップ部付き衣類によれば、デザイン上の制限を受けることなくワイヤー部材による肌当たりを緩和できる。
【図面の簡単な説明】
【００１５】
【図１】本発明に係るカップ部付き衣類の第１実施形態を示す正面図である。
【図２】図１におけるＩＩ−ＩＩ線断面図である。
【図３】本発明に係るカップ部付き衣類の第２実施形態を示す要部断面図である。
【図４】本発明に係るカップ部付き衣類の第３実施形態を示す要部断面図である。
【発明を実施するための形態】
【００１６】
以下、図面を参照しながら、本発明に係るカップ部付き衣類の好適な実施形態について詳細に説明する。
［第１実施形態］
【００１７】
図１は、本発明に係るカップ部付き衣類の第１実施形態を示す正面図である。同図に示すように、カップ部付き衣類１は、例えば女性用のブラジャーとして構成されている。このカップ部付き衣類１は、左右一対のカップ部２と、カップ部２の下縁部２ｃの表側に設けられた土台部３と、土台部３の両脇からそれぞれ延びて背面側に至るバック部４と、カップ部２とバック部４とをつなぐストラップ部５とによって構成されている。
【００１８】
カップ部２は、着用者のバストの形状に対応させた椀形状となっている。左右のカップ部２は、前中心側でそれぞれ接して互いに縫着され、左右一体となっている。カップ部２の肌側には、不織布や発泡ポリウレタンといった一定の保形性及び弾力性を有する素材によって形成された肌側布１５が配置され、カップ部２の表側には、例えば合成繊維や天然繊維の織物・編物といった素材からなる表側布１３が配置されている（図２参照）。
【００１９】
カップ部２の上縁部２ａは、例えばバストの上部に沿うように略中央部分で上向きに湾曲している。また、カップ部２の脇側部２ｂは、腕の動きを阻害することが無いように中心側に向かって緩やかに湾曲しており、カップ部２の下縁部２ｃは、バストのバージスラインに合うように下向きに湾曲している。
【００２０】
また、カップ部２の下縁部２ｃには、ワイヤー部６が設けられている。ワイヤー部６は、例えば芯材となるワイヤー部材１７と、ワイヤー部材１７を封入するワイヤーループ１４とによって構成されている（図２参照）。ワイヤー部材１７としては、例えば金属やプラスチック等が用いられ、ワイヤーループ１４には、織物や編物などの柔らかい素材が用いられる。
【００２１】
土台部３は、例えばベア天竺等の伸縮性（特に左右方向の伸縮性）を有する織物や編物等の素材で形成された表布にマーキゼット等の非（難）伸縮性の素材を裏打し、全体として非（難）伸縮性を有する土台布１２（図２に参照）によって構成されている。土台部３の上縁部３ａは、カップ部２の下縁部２ｃに沿う湾曲形状を有し、カップ部２の下縁部２ｃに縫着されている。土台部３の下縁部３ｂには、例えばストレッチテープなど、長手方向に特に伸縮性の高い素材からなる始末部を設けてもよい。この場合、土台部３の伸縮性及び復元性が高められる。
【００２２】
バック部４は、例えばパワーネットなどの伸縮性を有する素材によって形成されている。バック部４の基端側は、土台部３の脇部から連続し、背面側に向かって帯状に延びている。バック部４における背側の端部には、ホック７が設けられている。このホック７により、左右のバック部４が互いに係脱自在となっている。
【００２３】
ストラップ部５は、例えば織物のような布地を紐状に成形、縫製して形成されている。ストラップ部５に用いられる織物等の素材は、長手方向に伸縮性を有していることが好適である。ストラップ部５は、カップ部２とバック部４との間に掛け渡され、いわゆる肩紐を構成している。ストラップ部５の一端は、正面側でカップ部２の脇側上方に連結され、ストラップ部５の他端は、背面側でバック部４の上縁部に連結されている。
【００２４】
続いて、上述したカップ部２と土台部３との結合構造について更に詳細に説明する。図１におけるＩＩ−ＩＩ線断面図である。
【００２５】
同図に示すように、このカップ部２と土台部３との結合構造８では、表側から肌側に向かって順に、土台布１２、表側布１３、ワイヤーループ１４、肌側布１５、及び肌側バイアステープ１６が配置されている。土台布１２の上縁部１２ａは、肌側に折り返された折返部分１２ｂを有している。折返部分１２ｂの下端位置は、表側布１３の下端位置と略同一位置（縫着部に対して揃った状態）となっている。
【００２６】
ワイヤーループ１４は、表側布１３と肌側布１５との間に配置されている。ワイヤーループ１４の中央部１４ａよりも下方側は、表側布１３の下端位置よりも下方に張り出した状態となっている。ワイヤーループ１４の下端位置及び肌側布１５の下端位置は、互いに略同一位置となっていると共に、いずれも表側布１３の下縁位置よりも下方に位置している。肌側バイアステープ１６は、カップ部２の下縁部２ｃの剛性を確保する観点で、肌側布１５を挟んでワイヤーループ１４の反対側（肌側）に配置されている。
【００２７】
結合構造８において、各構成要素を縫着する縫着部Ａは、より具体的には、第１の縫着部Ａ１〜第４の縫着部Ａ４を有している。第１の縫着部Ａ１は、表側布１３と土台布１２の折返部分１２ｂとを縫着している。第２の縫着部Ａ２は、第１の縫着部Ａ１の下方側で、表側布１３を挟んで土台布の折返部分１２ｂとワイヤーループ１４の上縁部１４ｂとを縫着する縫着部分Ａ２ａと、土台布１２とワイヤーループ１４の中央部１４ａとを縫着する縫着部分Ａ２ｂとを有している。
【００２８】
第３の縫着部Ａ３は、ワイヤーループ１４の下縁部１４ｃを挟んで土台布１２と肌側布１５の下縁部１５ａとを縫着している。また、第４の縫着部Ａ４は、第２の縫着部Ａ２における縫着部分Ａ２ａの下方側で、土台布１２の折返部分１２ｂと表側布１３とワイヤーループ１４の上縁部１４ｂと肌側布１５とを挟んで土台布１２と肌側バイアステープ１６の上縁部１６ａとを縫着する縫着部分Ａ４ａと、第３の縫着部Ａ３よりも下方側で、ワイヤーループ１４の下縁部１４ｃと肌側布１５とを挟んで土台布１２と肌側バイアステープ１６の下縁部１６ｂとを縫着する縫着部分Ａ４ｂとを有している。
【００２９】
このような縫着部Ａにより、ワイヤーループ１４は、表側布１３と肌側布１５との間で、カップ部２の表側には露出しない状態でカップ部２及び土台部３に連結されている。また、ワイヤーループ１４に封入されているワイヤー部材１７は、第４の縫着部Ａ４における縫着部分Ａ４ａと第２の縫着部Ａ２における縫着部分Ａ２ｂとの間に位置し、ワイヤーループ１４内で上縁部１４ｂ側に偏在した状態となっている。
【００３０】
以上説明したように、カップ部付き衣類１では、ワイヤー部材１７が封入されたワイヤーループ１４が表側布１３と肌側布１５との間に配置されている。したがって、縫着部Ａによってワイヤーループ１４が表側布１３、肌側布１５、及び土台布１２に縫着された状態では、ワイヤーループ１４が表側布１３及び土台布１２で覆われ、カップ部２の表側には露出しないため、ワイヤーループ１４が露出することによるデザイン上の制限を受けることを回避できる。また、このカップ部付き衣類１では、ワイヤー部材１７がワイヤーループ１４内で上縁部１４ｂ側に偏在している。これにより、着用状態においてワイヤー部材１７が着用者のバストのバージスラインに沿い易くなり、ワイヤー部材１７の肌当たりを好適に緩和できる。
【００３１】
また、カップ部付き衣類１では、ワイヤーループ１４の下縁位置及び肌側布１５の下縁位置が表側布１３の下縁位置よりも下方に位置しており、この状態で、第１の縫着部Ａ１〜第４の縫着部Ａ４によって土台布１２、表側布１３、ワイヤーループ１４、肌側布１５、及び肌側バイアステープ１６が互いに縫着されている。このような構成によれば、第１の縫着部Ａ１、第２の縫着部Ａ２、第３の縫着部Ａ３、及び第４の縫着部Ａ４の順で縫着を行うことにより、ワイヤーループ１４の縫着に要する時間を短縮することが可能となる。
［第２実施形態］
【００３２】
図３は、本発明に係るカップ部付き衣類の第２実施形態を示す要部断面図である。同図に示すカップ部付き衣類２１は、カップ部２と土台部３との結合構造２８が第１実施形態と異なっている。
【００３３】
この結合構造２８では、縫着部Ｂが第１実施形態とは異なる第１の縫着部Ｂ１〜第４の縫着部Ｂ４を有している。第１の縫着部Ｂ１は、ワイヤーループ１４の中央部１４ａと肌側布１５とを縫着している。第２の縫着部Ｂ２は、表側布１３と土台布１２の折返部分１２ｂとを縫着している。第３の縫着部Ｂ３は、第２の縫着部Ｂ２の下方側で、土台布１２の折返部分１２ｂと表側布１３とワイヤーループ１４の上縁部１４ｂとを挟んで土台布１２と肌側布１５の下縁部１５ａとを縫着している。
【００３４】
第４の縫着部Ｂ４は、第３の縫着部Ｂ３の下方側で、土台布１２の折返部分１２ｂと表側布１３とワイヤーループ１４の上縁部１４ｂと肌側布１５とを挟んで土台布１２と肌側バイアステープ１６の上縁部１６ａとを縫着する縫着部分Ｂ４ａと、ワイヤーループ１４の下縁部１４ｃと肌側布１５とを挟んで土台布１２と肌側バイアステープ１６の下縁部１６ｂとを縫着する縫着部分Ｂ４ｂとを有している。
【００３５】
このような縫着部Ｂにより、ワイヤーループ１４は、表側布１３と肌側布１５との間で、カップ部２の表側には露出しない状態でカップ部２及び土台部３に連結されている。また、ワイヤーループ１４に封入されているワイヤー部材１７は、第４の縫着部Ｂ４における縫着部分Ｂ４ａと第１の縫着部Ｂ１との間に位置し、ワイヤーループ１４内で上縁部１４ｂ側に偏在した状態となっている。
【００３６】
このようなカップ部付き衣類２１においても、ワイヤー部材１７が封入されたワイヤーループ１４が表側布１３と肌側布１５との間に配置されている。したがって、縫着部Ｂによってワイヤーループ１４が表側布１３、肌側布１５、及び土台布１２に縫着された状態では、ワイヤーループ１４が表側布１３及び土台布１２で覆われ、カップ部２の表側には露出しないため、ワイヤーループ１４が露出することによるデザイン上の制限を受けることを回避できる。また、このカップ部付き衣類２１においても、ワイヤー部材１７がワイヤーループ１４内で上縁部１４ｂ側に偏在している。これにより、着用状態においてワイヤー部材１７が着用者のバストのバージスラインに沿い易くなり、ワイヤー部材１７の肌当たりを好適に緩和できる。
【００３７】
また、カップ部付き衣類２１では、ワイヤーループ１４の下縁位置及び肌側布１５の下縁位置が表側布１３の下縁位置よりも下方に位置しており、この状態で、第１の縫着部Ｂ１〜第４の縫着部Ｂ４によって土台布１２、表側布１３、ワイヤーループ１４、肌側布１５、及び肌側バイアステープ１６が互いに縫着されている。このような構成によれば、第１の縫着部Ｂ１、第２の縫着部Ｂ２、第３の縫着部Ｂ３、及び第４の縫着部Ｂ４の順で縫着を行うことにより、ワイヤーループ１４の縫着に要する時間を短縮することが可能となる。
［第３実施形態］
【００３８】
図４は、本発明に係るカップ部付き衣類の第２実施形態を示す要部断面図である。同図に示すカップ部付き衣類３１は、カップ部２と土台部３との結合構造３８が第１実施形態と更に異なっている。
【００３９】
この結合構造３８では、ワイヤーループ１４の下端位置、肌側布１５の下端位置、及び肌側バイアステープ１６の下端位置が、折返部分１２ｂの下端位置及び表側布１３の下端位置と略同一位置に揃った状態となっている。
【００４０】
また、縫着部Ｃは、第１実施形態とは異なる第１の縫着部Ｃ１〜第４の縫着部Ｃ４を有している。第１の縫着部Ｃ１は、ワイヤーループ１４の中央部１４ａと肌側布１５とを縫着している。第２の縫着部Ｃ２は、第１の縫着部Ｃ１の僅かに上方側で、表側布１３と土台布１２の折返部分１２ｂとを縫着している。第３の縫着部Ｃ３は、第１の縫着部Ｃ１と第２の縫着部Ｃ２との間の位置で、表側布１３とワイヤーループ１４の中央部１４ａとを挟んで土台布１２の折返部分１２ｂと肌側布１５とを縫着している。
【００４１】
第４の縫着部Ｃ４は、ワイヤーループ１４の上縁部１４ｂと肌側布１５とを挟んで表側布１３と肌側バイアステープ１６の上縁部１６ａとを縫着する縫着部分Ｃ４ａと、土台布１２の折返部分１２ｂと表側布１３とワイヤーループ１４の下縁部１４ｃと肌側布１５とを挟んで土台布１２と肌側バイアステープ１６の下縁部１６ｂとを縫着する縫着部分Ｃ４ｂとを有している。
【００４２】
このような縫着部Ｃにより、ワイヤーループ１４は、表側布１３と肌側布１５との間で、カップ部２の表側には露出しない状態でカップ部２及び土台部３に連結されている。また、ワイヤーループ１４に封入されているワイヤー部材１７は、第２の縫着部Ｃ２と第３の縫着部Ｃ３との間に位置し、ワイヤーループ１４内で上縁部１４ｂ側に偏在した状態となっている。
【００４３】
このようなカップ部付き衣類３１においても、ワイヤー部材１７が封入されたワイヤーループ１４が表側布１３と肌側布１５との間に配置されている。したがって、縫着部Ｃによってワイヤーループ１４が表側布１３、肌側布１５、及び土台布１２に縫着された状態では、ワイヤーループ１４が表側布１３及び土台布１２で覆われ、カップ部２の表側には露出しないため、ワイヤーループ１４が露出することによるデザイン上の制限を受けることを回避できる。また、このカップ部付き衣類３１においても、ワイヤー部材１７がワイヤーループ１４内で上縁部１４ｂ側に偏在している。これにより、着用状態においてワイヤー部材１７が着用者のバストのバージスラインに沿い易くなり、ワイヤー部材１７の肌当たりを好適に緩和できる。
【００４４】
また、カップ部付き衣類３１では、ワイヤーループ１４の下端位置、肌側布１５の下端位置、及び肌側バイアステープ１６の下端位置が、折返部分１２ｂの下端位置及び表側布１３の下端位置と略同一位置となっている。これにより、カップ部２における表側布１３の上下寸法を長くできるので、着用状態において着用者のバストトップの位置を高く見せることができる。
【００４５】
本発明は、上記実施形態に限られるものではない。例えば上記実施形態では、カップ付き衣類としてブラジャーを例示したが、本発明を適用するカップ部付き衣類としては、ブラジャーの他に、ブラスリップ、ブラキャミソール、ボディスーツなどのファンデーション衣類、水着、レオタードなどが挙げられる。また、上記実施形態では、肌側布１５の肌側に肌側バイアステープ１６を配置しているが、肌側バイアステープ１６の配置を省略することも可能である。
【符号の説明】
【００４６】
１，２１，３１…カップ部付き衣類、２…カップ部、２ｃ…下縁部、６…ワイヤー部、１２…土台布、１２ａ…上縁部、１２ｂ…折返部分、１３…表側布、１４…ワイヤーループ、１４ａ…中央部、１４ｂ…上縁部、１４ｃ…下縁部、１５…肌側布、１５ａ…下縁部、１６…肌側バイアステープ、１６ａ…上縁部、１６ｂ…下縁部、１７…ワイヤー部材、Ａ〜Ｃ…縫着部、Ａ１〜Ｃ１…第１の縫着部、Ａ２〜Ｃ２…第２の縫着部、Ａ３〜Ｃ３…第３の縫着部、Ａ４〜Ｃ４…第４の縫着部。
【図１】
2015190064.tif 000003
【図２】
2015190064.tif 000004
【図３】
2015190064.tif 000005
【図４】
2015190064.tif 000006